(57)【要約】【課題】  植栽される、つる植物の支えに使用されるポール相互を確実に繋ぎ止めるとともに、各ポールを各様の姿勢で接合できる上、鳥害や霜の害から幼苗を守るための網かけやフィルム止めの容易なポール継手を提供すること。【解決手段】  所要内径、所要長の一対の筒体１、１が周面相互の接合部２で接合姿勢変向自在に接合され、各筒体１に周面からその軸心に向けて押しネジ１a、１bが螺着されるとともに、一方の筒体１及び／又は他方の筒体１に両開口端１dに渡るスリット１cが貫設される。  そして、前記接合部２は、一方の筒体１の軸心と直交する直交軸上で外周面に突設される抜け止め部を有する軸棒２aと、他方の筒体１の軸心と直行する直交軸上で外周面に凹設される抜け止め部を有する軸孔２bとから成り、両者の嵌着で360°回転自在である。  このほか、前記一対の筒体１、１がその軸心の交差角を0°乃至90°で固定接合部３で固定されたものも提供される。【選択図】図１
2009275902.tif 000002
【特許請求の範囲】
【請求項１】
一対の筒体が、周面相互の接合部で接合姿勢変向自在に接合され、各筒体に周面からその軸心に向けて押しネジが螺着されるとともに、一方の筒体及び／又は他方の筒体に両開口端に渡るスリットが貫設されて成るポール継手。
【請求項２】
前記接合部が、一方の筒体の軸心と直交する直交軸上で外周面に突設される抜け止め部を有する軸棒と、他方の筒体の軸心と直交する直交軸上で外周面に凹設される抜け止め部を有する軸孔とから成る請求項１記載のポール継手。
【請求項３】
一対の筒体が、周面相互の接合部で各軸心が所要の交差角で一体に接合され、各筒体に周面からその軸心に向けて押しネジが螺着されるとともに、一方の筒体及び／又は他方の筒体に両開口端に渡るスリットが貫設されて成るポール継手。
【請求項４】
前記交差角が0°乃至90°である請求項３記載のポール継手。
【発明の詳細な説明】
【技術分野】
【０００１】
本発明は、つる植物の支えに使用されるポール相互を接合する継手に関する。
【背景技術】
【０００２】
園芸用ポールを繋ぎ止める継手としての先行技術が特開平１０−１４４０９号公報（特許文献１）に提案されている。その技術のポール把持部１は弾性変形によってポール８を把持するものであるため、網かけやフィルム止めなどをする場合にはポール把持部１の開口縁を弾性に抗してこじ開けることとなり挿し込みに手間を要し、また、継手相互の交差角が90°の範囲であるため、実用上は交差方向に継手の向きを変えなければならないという問題点がある。
パイプ同士を連結するパイプジョイントとしての技術が特開平６−３３７０１０号公報（特許文献２）に開示されている。その特許文献２に提案された技術は連結されたパイプ２と他のパイプとを連結する手段を有しないから、このパイプジョイント１はつる植物などの支えに使用する繋ぎ止めには使用できないものであり、長溝状の窓部５は軸心方向の両開口端に渡って貫通されていないから、この窓部５に網やフィルムの端縁を引っかけようとしても挿し込むことができないという問題がある。
【特許文献１】特開平１０−１４４０９号公報
【特許文献２】特開平６−３３７０１０号公報
【発明の開示】
【発明が解決しようとする課題】
【０００３】
本発明は主としてプランターに植栽される、つる植物の支えに使用され各方向へ向いたポール相互を確実に繋ぎ止めるとともに、各ポールを各様の姿勢で結合できる上、鳥害や霜の害から幼苗を守るための網かけやフィルム止めの容易なポール継手を提供しようとする。
【課題を解決するための手段】
【０００４】
本発明の請求項１に記載したポール継手は、所要内径、所要長の一対の筒体が、周面相互の接合部で接合姿勢変向自在に接合され、該接合部において各筒体に周面から軸心に向けて所要数の押しネジが螺着されるとともに、一方の筒体及び／又は他方の筒体に両開口端に渡るスリットが貫設されて成る。
請求項２に記載したポール継手は、請求項１に記載した前記接合部が、一方の筒体の軸心と直交する直交軸上で外周面に突設される抜け止め部を有する軸棒と、他方の筒体の軸心と直行する直交軸上で外周面に凹設される抜け止め部を有する軸孔とから成る。
請求項３に記載したポール継手は、一対の筒体が、周面相互の接合部で各軸心が所要の交差角で一体に接合され、各筒体に周面からその軸心に向けて押しネジが螺着されるとともに、一方の筒体及び／又は他方の筒体に両開口端に渡るスリットが貫設されて成る。
請求項４に記載したポール継手は、請求項３に記載した前記交差角が0°乃至90°である。
【発明の効果】
【０００５】
ポール相互を繋ぎ止める両筒体は、回転自在な接合部を有するものでは、その開口端の変向が360°方向に自在であるから、各ポールの繋ぎ止めにおける使い勝手がよい。また、筒体の両開口端に渡って貫設されるスリットは、網やフィルムなどの端縁を筒体の内周面に挿通するために使用され、その端縁を押しネジによってポールの外周面と筒体の内周面とで簡単に挟持できるものであり、プランターによる植栽では網やフィルムによって幼苗を鳥害や霜の該から保護できる。
また、両筒体の軸心の交差角が所要に選択されて両筒体が一体に接合されたものでは、ポール配設がパターン化され易く手間が省ける
【発明を実施するための最良の形態】
【０００６】
ポール相互を縦、横或いは縦、斜めに繋ぎ止める筒体は、塩ビ製でその内径、長さは適宜に選択されるが、両者の接合部は、両筒体の軸心と直交する直交軸上で360°回転自在なもの、0°乃至90°の交差角で一体とされるものがある。また、回転自在な接合部での軸棒における抜け止め部とは、逆テーパ状に形成されたテーパ軸面や、軸棒の突端に設ける拡径状の突起（爪）とともに、軸棒の最小直径内に前記テーパ軸面の最大径部や突起の外径を収めるための縮径手段とから成り、軸孔における抜け止め部とは、逆テーパ周面や孔底に設けられる拡径部である。
前記縮径手段は、単に軸棒の軸心に直交して所要幅で欠切されるスリット（一方向或いは十字方向）や、前記軸心に設ける逃げ空間と前記スリットとから成るものが挙げられる。さらに、両筒体には外周から軸心に向けて１本乃至２本の押ネジが螺着され、一方の筒体及び／又は他方の筒体には両開口端に渡って所要幅のスリットが貫設される。したがって継手としては、一方の筒体のみにスリットを設けた一対の筒体が360°その開口端を変向自在に接合部で接合され、各筒体に１個の押しネジが螺着されたもの、両筒体に前記スリットが貫設され各１個の押しネジが螺着されたもの、スリットのある筒体の一方（或いは両方）を長尺にして２個の押しネジを螺着したもの、スリットのある長尺な筒体とスリットのない短尺な筒体とが接合部で接合され、長尺な筒体に２個の押しネジが螺着され、短尺な筒体に１個の押しネジが螺着されたもの、このほか、前記各パターンで両筒体がその軸心相互を0°乃至90°の交差角で一体に接合されたものが提供される。なお、筒体のスリットには保護材としての網やフィルムなどの端縁が挿し込まれ、挿し込まれた端縁は押しネジによって簡単にポールの外周面と筒体の内周面とによって挟持される。
【実施例】
【０００７】
本発明のポール継手Ａを実施例により説明すると、図１に示すように、塩ビ製円管状の内径20mm、長さ25mmの一対の筒体１、１は周面相互の接合部２で接合姿勢変向自在に接合され、上方の筒体１には長さ方向中央で鉛直軸心からその軸心に向けて螺設したネジ孔に１本の押しネジ１aが螺着され、下方の筒体１には長さ方向中央で鉛直軸心に対して下側左方から45°の角度でその軸心に向けて螺設したネジ孔に１本の押しネジ１bが螺着されるとともに、その右方周面に上向き45°の角度で2mm幅のスリット１cが図１（ｂ）に示すように、両開口端１dに渡って貫設される。また、上方の筒体１にも下側周面に両開口端１dに渡る2mm幅のスリット１cが貫設される。そして、接合部２は上方の筒体１の下部周面に設けた所要径の接合座１eより一体に垂下した逆テーパ状（下端を大径とする）の軸棒２aと、下方の筒体１の上部周面に設けた所要径（前記接合座１eと同径）の接合座１fに抜け止め部としての逆テーパ周面２baに凹設される軸孔２bとから成り、軸棒２aにおける抜け止め部は図２に示すように、軸棒２aの軸心に設ける逃げ空間２abとこの逃げ空間２abに渡って十字状に欠切されるスリット２acとから成る。
したがって、上方の筒体１に垂下される軸棒２aは、その軸端の面取り小径部２adから下方の筒体１の軸孔２bに押し込まれ、そのとき、スリット２acによって４分割された軸棒２aの逆テーパ軸面２aaは軸心の逃げ空間２abへ縮径されて軸孔２bに挿し込まれ、挿し込み端で軸棒２aは逆テーパ状に復元されて軸孔２bの逆テーパ周面２baに嵌着し、抜け止め状態で両者は360°回転自在に接合される。
【０００８】
図３に示したポール継手Ａは、スリット１cを設け押しネジ１aを螺着した下方の筒体１と、スリット１cがなく、押しネジ１bを螺着した上方の筒体１とを接合部２で回転自在に接合したものである。
図４に示したポール継手Ａは、図３に示した下方の筒体１を長尺（前記下方の筒体１の２倍長50mm）とし、２本の押しネジ１bを螺着したものである。このポール継手Ａでは下方の筒体１で２本のポール４をそれぞれの押しネジ１bで繋ぎ止める。
軸棒２aにおける抜け止め部は前記のほか、軸棒２aの先端に設ける拡径状の突起や爪（図外）と前記したスリット２acとから成り、これと対応する軸孔２bにおける抜け止め部としては、軸孔２bの孔底に設ける軸棒２aの直径より大径な拡径部（図外）が挙げられる。
【０００９】
図５に示したポール継手Ｂについて説明すると、塩ビ製円管状の内径20mm、長さ25mmの一対の筒体１、１は固定接合部３で一体に接合され、両筒体１、１にはそれぞれ１本の押しネジ１a、１bが螺設され、下方の筒体１には両開口端１dに渡るスリット１cが貫設されるもので、分図（ａ）に示したものは、両筒体１、１がその軸心を交差角90°（直交）で一体に接合されたものであり、分図（ｂ）に示したものは、両筒体１、１がその軸心を交差角0°（平行）で一体に接合されたものである。なお、両者の上方の筒体１には適宜な位置に仮想線で示すように、スリット１cが貫設されることもある。
【００１０】
観賞用としてプランター５に植栽したあさがお６のつる支えに使用したポール継手Ａの使用例を説明すると、図６に示すように、プランター５に所要間隔で立てた縦ポール４aに図１に示す上方の筒体１を挿通して押しネジ１aで固定し、各ポール継手Ａの下方の筒体１の開口端１dを横方向に整列して横ポール４bを挿通し、各筒体１に押しネジ１b（図外）で横ポール４bを固定し、左右端では下方の筒体１に土に差し込んだステーポール４cを挿通して押しネジ１b（図外）で固定し、縦ポール４aの転倒防止を図る。
したがって、プランター５に植栽されたあさがお６は成長するにつれて縦ポール４aや横ポール４bに絡みつき観賞し易い状態で花を咲かせることができる。
【００１１】
ポール継手Ａにおいて網７を設ける例を説明すると、図７に示すように、プランター５に植栽したあさがお６の二葉などの幼苗８が芽生えた頃に鳥害から幼苗８を保護するため、押しネジ１bを緩めた状態で筒体１のスリット１cから左右の各網７の端縁を挿通し、さらに端縁を横ポール４bの外周面と筒体１の内周面１gの間に挿通し押しネジ１bを締め込めば、網７は横ポール４と筒体１の内周面１gとで挟持される。フィルムなども前記と同様な要領で幼苗８の保護に供される。
本発明はポールでつる植物の支えを簡単に準備でき、幼苗８を鳥害や霜の害から保護できる網かけやフィルム止めなどの手段を有するものであり、個人的な園芸用に止まらず、営農上でも活用され得るものとして極めて有益である。
【産業上の利用可能性】
【００１２】
本発明は、ポールを広範な自由度で繋ぎ止める継手であるから、つる植物のプランター植栽やハウス栽培、露地栽培等に利用されその需要は個人的にも営農上からも大いに期待される。
【図面の簡単な説明】
【００１３】
【図１】本発明のポール継手Ａの説明図で、（ａ）は正面図、（ｂ）は（ａ）の一部を破断した右側面図。
【図２】ポール継手Ａの上方の筒体１の底面図。
【図３】ポール継手Ａの他の実施態様における説明図。
【図４】ポール継手Ａの他の実施態様における説明図。
【図５】本発明のポール継手Ｂの説明図で（ａ）は上下の筒体１の軸心が直交（交差角90°）する場合を示し、（ｂ）は上下の筒体１の軸心が平行（交差角0°）である場合を示す。
【図６】本発明の使用状態の説明図。
【図７】本発明の他の使用状態の部分説明図。
【符号の説明】
【００１４】
１：筒体
１a：押しネジ
１b：押しネジ
１c：スリット
１d：開口端
１e、１f：接合座
１g：内周面
２：接合部
２a：軸棒
２aa：逆テーパ軸面
２ab：逃げ空間
２ac：スリット
２ad：面取り小径部
２b：軸孔
２ba：逆テーパ周面
３：固定接合部
４：ポール
４a：縦ポール
４b：横ポール
４c：ステーポール
５：プランター
６：あさがお
７：網
８：幼苗
Ａ、Ｂ：ポール継手
【図１】
2009275902.tif 000003
【図２】
2009275902.tif 000004
【図３】
2009275902.tif 000005
【図４】
2009275902.tif 000006
【図５】
2009275902.tif 000007
【図６】
2009275902.tif 000008
【図７】
2009275902.tif 000009